(57)【要約】【課題】  本体の内部電源をオン／オフすることなく、ユーザ使用状態に応じて映像表示をオフすることができる携帯型電子機器を提供する。【解決手段】  モバイル型ＴＶ１は、ユーザの状態を検出するセンサ２５、センサ２５の検出結果を基にユーザの状態を判定し映像／音声出力を制御する制御部２６を備え、制御部２６は、ユーザが映像を見れる状態にないとき、表示部２への電源供給を停止するとともに、ユーザが映像を見れる状態になると電源供給を再開する制御を行う。【選択図】      図２
2006211421.tif 000002
【特許請求の範囲】
【請求項１】
映像表示部を備える携帯型電子機器において、
ユーザの使用状態を検出する検出手段と、
検出されたユーザの使用状態情報を基に該ユーザが映像を見れる状態にあることを判定する判定手段と、
前記判定手段によりユーザが映像を見れる状態にないと判定されると、前記映像表示部への電源供給を停止する制御を行う制御手段と
を備えることを特徴とする携帯型電子機器。
【請求項２】
前記検出手段は、ユーザの手放しを検出する接触センサ、温度センサ、光量センサのいずれか、又は本体の振動を検出する振動センサ、本体の傾きを検出する傾きセンサの少なくともいずれか、若しくはこれらのセンサの組み合わせであることを特徴とする請求項１記載の携帯型電子機器。
【請求項３】
前記制御手段は、前記映像表示部への電源供給を停止し、さらに一定時間経過後に本体電源をオフする制御を行うことを特徴とする請求項１記載の携帯型電子機器。
【請求項４】
前記制御手段は、前記判定手段によりユーザが映像を見れる状態にあると判定されると、前記映像表示部への電源供給を再開する制御を行うことを特徴とする請求項１記載の携帯型電子機器。
【発明の詳細な説明】
【技術分野】
【０００１】
本発明は、モバイル型テレビジョン受信機などの映像表示部を備える携帯型電子機器に関する。
【背景技術】
【０００２】
従来、液晶表示装置においては、外部から照射された光の透過光量を制御して画像を表示する透過型と、反射光量を制御して画像を表示する反射型とに大別される。透過型液晶表示装置は、一般に、背面にバックライトと呼ばれる照明装置を使用している。このバックライトはバックライト駆動回路に接続されており、商用電源やバッテリ等の電源を基に作成した必要な駆動電力が、駆動回路を通じて供給されている。また、反射型液晶表示装置は、周囲光を利用して表示することが可能であるが、表示輝度が周囲環境に依存する度合いが非常に高く、特に夜間などの暗闇では表示が全く認識できないこともある。そのため、十分な周囲光が得られない場合に備えて、反射型液晶表示素子を前方から照明するフロントライトと呼ばれる照明装置を設け、同様に駆動回路を用いて点灯するものもある。
【０００３】
また、携帯型のテレビジョン受信機に代表される携帯型表示装置は、携帯使用時にはバッテリ駆動される。携帯型表示装置では、バックライト部に消費される電力が最も大きく、バッテリ駆動時間はバックライトの点灯／非点灯やその輝度によって大きく異なる。一般に、バックライトの輝度が高ければ表示画面は見やすくなり、輝度が低くなると見にくくなる。バックライトの使用はバッテリ駆動時間に大きく影響するため、バックライト輝度を制御してバッテリ駆動時間を伸ばすことが行われている。例えば、特許文献１には、設定されたバッテリ駆動時間とバッテリの総容量から消費電流を算出し、ユーザが設定した時間内だけバックライトを駆動するパーソナルコンピュータが開示されている。
【０００４】
また、特許文献２には、バッテリ残容量に応じて機器の点灯時間を制御する装置が開示されている。また、特許文献３には、バッテリ残量が一定レベル以下になるとバックライトを低電力駆動に切り換え、さらに低下すると映像をオフすると共にメモリカード録画に切り換える携帯型視聴装置が開示されている。
【０００５】
さらに、特許文献４には、音声のみの用途として使用される場合やテレビ電話として使用中であっても映像を送信しない用途に適用したテレビ電話装置が開示されている。また、特許文献５には、画像データの表示を制御する操作手段の操作に応じて表示回路の電源をオン／オフするモバイル型電子機器が開示されている。
【０００６】
【特許文献１】特開平４−１９２０１５号公報
【特許文献２】特開平７−３２７００４号公報
【特許文献３】特開平１１−１２２９３７号公報
【特許文献４】特開平９−３２２１３７号公報
【特許文献５】特開２００１−２７２９４３号公報
【発明の開示】
【発明が解決しようとする課題】
【０００７】
このような従来のモバイル型ＴＶ等の映像表示装置にあっては、本体電源オン／オフのスイッチのみが搭載されているため、映像をオフにしようとして電源スイッチをオフにすると音声も同時にオフになる。しかし、モバイル型ＴＶの使用状況としては、映像は見ないが音声は聴きたい場合もあり得る。例えば、モバイル型ＴＶを電車で視聴していて、電車から降りる時、映像は見れないが音声だけは聴き続けたい場合がある。また、歩行中などにおいてモバイル型ＴＶをカバン等に収納し、音声だけを聴く場合もある。このような場合、電源スイッチをオフにすると音声も同時にオフになるので、電源をオンにしたままにする必要があるが、見ていない映像のために液晶表示部やデコード回路へ通電が続けられ、バッテリ消費が増えてしまうという問題がある。
【０００８】
映像のみをオフにする専用スイッチを設けることが考えられるが、モバイル型電子機器では設置スペースが限られている上、使用頻度が少ない専用スイッチを設置してもユーザが咄嗟に操作し難いことが想定される。例えば、上記電車から降りる時、普段使用しない専用スイッチをうまく操作できるか疑問である。また、上記専用スイッチが意図せずに操作されてしまうと、普段使用しない専用スイッチであるため突然の画面オフにユーザがとまどうことや本体電源のオフと錯覚してそのまま放置してバッテリを消耗してしまう不具合も考えられる。
【０００９】
本発明は、このような課題に鑑みてなされたものであって、本体の内部電源をオン／オフすることなく、ユーザ使用状態に応じて映像表示をオフすることができる携帯型電子機器を提供することを目的としている。
【課題を解決するための手段】
【００１０】
本発明の携帯型電子機器は、映像表示部を備える携帯型電子機器において、ユーザの使用状態を検出する検出手段と、検出されたユーザの使用状態情報を基に該ユーザが映像を見れる状態にあることを判定する判定手段と、前記判定手段によりユーザが映像を見れる状態にないと判定されると、前記映像表示部への電源供給を停止する制御を行う制御手段とを備えることを特徴としている。
【００１１】
具体的な態様として、前記検出手段は、ユーザの手放しを検出する接触センサ、温度センサ、光量センサのいずれか、又は本体の振動を検出する振動センサ、本体の傾きを検出する傾きセンサの少なくともいずれか、若しくはこれらのセンサの組み合わせである。
【００１２】
前記制御手段は、前記映像表示部への電源供給を停止し、さらに一定時間経過後に本体電源をオフする制御を行うものであってもよい。
【００１３】
前記制御手段は、前記判定手段によりユーザが映像を見れる状態にあると判定されると、前記映像表示部への電源供給を再開する制御を行うことがより好ましい。
【発明の効果】
【００１４】
以上、詳述したように、本発明によれば、ユーザ使用状態に応じて映像表示を自動的にオフすることができ、省電力化によりバッテリ駆動時間を延ばすことができる。また、ユーザにスイッチ操作を強いらないため使い勝手の向上を図ることができる。
【発明を実施するための最良の形態】
【００１５】
以下、添付図面を参照しながら本発明の好適な携帯型電子機器の実施の形態について詳細に説明する。
【００１６】
図１は、本発明の実施の形態の携帯型電子機器の外観を示す図であり、図１（ａ）はその正面図、図１（ｂ）はその左側面図、図１（ｃ）はその右側面図、図１（ｄ）はその表示部を開いた場合の右側面図である。本実施の形態に係る携帯型電子機器は、放送を受信して再生するモバイル型ＴＶ放送受信機（以下、モバイル型ＴＶという）に適用した例である。
【００１７】
図１（ａ）〜（ｄ）において、モバイル型ＴＶ１は、本体１ａにＬＣＤからなる表示部２、電源スイッチ３、音量ボタン４、再生，停止，一時停止，早送り，又はデータのスクロール操作等の十字キー５、選局ボタン６、メニュー，カード再生などの各種機能選択キー７、電源オン／オフ状態，受信状態，記録動作状態などのステータスを発光して報知するＬＥＤ８、ＳＤカードを挿脱するＳＤカードスロット９、イヤホン端子１０、外部入力端子１１、ＤＣ電源入力端子１２を備えて構成される。
【００１８】
また、図１（ｄ）に示すように表示部２はヒンジ部（図示略）により回動自在に支持され、表示部２が起こされた状態ではさらにヒンジ部上で回転可能である。この構成によりユーザは所望の角度で映像を見ることができる。また、表示部２を反転させて本体１ａに収容することで液晶画面を保護することができる。なお、表示部２を反転させて本体１ａに収容したときは表示部２への通電は停止される。
【００１９】
図２は、モバイル型ＴＶ１の機能を示すブロック図である。
【００２０】
図２において、モバイル型ＴＶ１は、図示しないアンテナ，変調部を内蔵し放送コンテンツを受信するチューナ２１、受信信号から映像データと音声データに分離する分離部２２、分離された映像ストリームをデコードする映像用デコーダ２３、分離された音声ストリームをデコードする音声用デコーダ２４、ユーザの状態を検出するセンサ２５（検出手段）、ＣＰＵなどにより構成され装置全体を制御するとともに、センサ２５の検出結果を基にユーザの状態を判定し映像／音声出力を制御する制御部２６（判定手段，制御手段）、ＬＣＤ・駆動ドライバ・バックライト等からなり映像を出力する映像出力部（ディスプレイ）２７、及び音声を出力する音声出力部（スピーカ／イヤホンなど）２８を備えて構成される。上記映像用デコーダ２３及び映像出力部２７は、制御部２６により電源通電制御を受ける映像表示部を構成する。
【００２１】
モバイル型ＴＶ１は、放送コンテンツを受信し表示するＴＶ受信機としての機能に加え、ＳＤカードにＪＰＥＧ，ＭＰＥＧ方式で記録された静止画／動画を再生し、表示部２に表示する画像再生装置（いわゆる「ポータブル・ビューアー」）としての機能を有する。
【００２２】
チューナ２１は、デジタル放送信号、さらにアナログ放送用の信号を受信し復調する。
【００２３】
制御部２６を構成するＣＰＵは、プログラムを格納するＥＥＰＲＯＭ（electrically erasable programmable ROM）等からなり認識したデータを記憶する不揮発性メモリ（図示略）、プログラムを実行させるためのメモリ（図示略）を備える。
【００２４】
制御部２６は、センサ２５からの検出結果を基にユーザが映像を見れる状態にあることを判定し、ユーザが映像を見れる状態にないとき、上記映像表示部への電源供給を停止する制御を行う。また、ユーザが映像を見れる状態にあるとき、上記映像表示部への電源供給を再開する制御を行う。さらに、省電力モード設定機能により省電力モードが設定されている場合には、上記映像表示部への電源供給を停止した後、一定時間経過後に本体１ａ電源をオフする制御を行う。
【００２５】
センサ２５は、ユーザの状態を検出できるものであればどのようなセンサでもよく、以下に例示する。ここで、ユーザの状態とは、モバイル型ＴＶ１に対しユーザがどのような状態にあるかをいう。例えば、ユーザがモバイル型ＴＶ１を手に持っている、本体１ａに大きな振動や傾きがないなどユーザがモバイル型ＴＶ１を見れる状態にあることを検出する。
【００２６】
ユーザの状態検出については以下のような方法で検出する。
(1)接触検出：モバイル型ＴＶ１と一体に設置された接触センサ又は近接センサなどでユーザの手放しを検出する。
(2)温度検出：モバイル型ＴＶ１に温度センサを設置し手に持っている部分の温度変化を検出してユーザの手放しを検出する。
(3)明るさ検出：モバイル型ＴＶ１に光量センサを設置し周囲の明るさが変わった時などの変化を検出して本体１ａがカバン等に収納されたことを検出する。
(4)振動検出：モバイル型ＴＶ１に振動センサを設置し振動が大きい時などユーザが映像を見ていないことを検出する。
(5)傾き検出：モバイル型ＴＶ１に傾きセンサを設置し傾きが大きい時などユーザが映像を見ていないことを検出する。
【００２７】
さらに、センサ２５として指紋センサを設置しユーザの指紋を検出するようにすれば、ユーザの状態検出だけではなくユーザを識別して動作を変えることができる。また、ＧＰＳ（Global Positioning System）などでユーザ位置情報を取得し、ユーザ移動を制御系に反映させることも可能である。
【００２８】
上記センサ２５は、モバイル型ＴＶ１に複数設置するものでもよく、異なる種類のセンサを組み合わせる構成でもよい。例えば、センサ２５として接触センサを用いる場合には、モバイル型ＴＶ１の本体１ａの両側面に設けることが好ましい。また、接触センサと振動センサなど異なる種類のセンサを組み合わせればより詳細にユーザの状態を検出することができる。
【００２９】
以下、上述のように構成されたモバイル型ＴＶ１の動作を説明する。
【００３０】
モバイル型ＴＶ１は、センサ２５として接触センサを備える場合を例に採り説明する。
【００３１】
図３は、モバイル型ＴＶ１の表示制御動作を示すフローチャートであり、制御部２６のＣＰＵにより実行される。図中、Ｓはフローの各ステップを示す。
【００３２】
まず、ステップＳ１でセンサ２５（本例では接触センサ）から検出結果を入力し、ステップＳ２でこのセンサ検出結果に有意な情報があるか否かを判定する。センサ２５からの検出結果には情報として意味のない値が含まれる。例えば、接触センサの場合は、ユーザがモバイル型ＴＶ１を持ち替えたり、接触センサパッドから手が離れることなどは頻繁に起こり得る。このため、あらかじめ適当な時間（例えば１０秒）経過したときにユーザが手放したと判定する。また、振動センサの場合は振動の大きさが所定値以上で、かつ所定時間（例えば１０秒）経過したときにユーザが映像を見ることができないと判定する。また、光量センサの場合は、明るさが明→暗などに変わり、かつ所定時間（例えば１０秒）経過したときにモバイル型ＴＶ１がカバン等にしまわれユーザが映像を見ることができないと判定する。このように、ステップＳ２では、センサ値の閾値判定や経過時間、頻度等を判定することでセンサ２５の検出結果から有意の情報を選択する。なお、センサ２５として接触センサのみの検出情報を用いると、ユーザが手放して見ない場合とユーザがモバイル型ＴＶ１をテーブル等に置いて視聴する場合とを区別できない。したがって、振動センサ、傾きセンサ、又は本体１ａ背面／底面に光量センサ，メカニカルスイッチ等を設置し、これら異なるセンサ情報を組み合わせて判定することが好ましい。
【００３３】
ステップＳ３でセンサ情報を基にユーザ状態を検出し、ステップＳ４でユーザが映像を見れるか否かを判別する。ユーザが映像を見れるときはそのまま本フローを終了する。ユーザが映像を見ることができないとき、例えば、ユーザがモバイル型ＴＶ１を手放しカバン等に収納した想定される時や大きな振動が継続している時などはユーザが映像を見ることができない状態にあると判断する。
【００３４】
ユーザが映像を見ることができないと判断したときは、ステップＳ５で映像系の通電をオフする。具体的には、図２の映像出力部（ディスプレイ）２７（バックライト／フロントライト／サイドライト消灯を含む）及び映像用デコーダ２３への通電をオフし、図１の表示部２の画面表示をオフする。但し、音声用デコーダ２４及び音声出力部（アンプ）２８通電し音声出力は継続する。
【００３５】
次いで、ステップＳ６で映像系の通電オフ後、一定時間（例えば３０分）が経過したか否かを判別し、一定時間が経過していればステップＳ７で省電力モードに設定されているか否かを判別する。省電力モードは、長時間画面表示をオフしている場合に本体１ａの電源を自動的にオフにする機能である。上記一定時間や上述したセンサ検出時間（センサ感度）についても設定が可能である。省電力モードに設定されているときは、ステップＳ８でモバイル型ＴＶ１の本体１ａをオフして本フローを終了する。また、省電力モードに設定されていないときは、そのまま本フローを終了し本体１ａの電源オフは行わない。
【００３６】
上記フローは、ユーザが映像を見れる状態にないとき、表示部２への電源供給を停止する制御を行うものであるが、同様の制御により、ユーザが映像を見れる状態にあると判定されると、表示部２への電源供給を再開する。
【００３７】
以上のように、本実施の形態のモバイル型ＴＶ１は、ユーザの状態を検出するセンサ２５、センサ２５の検出結果を基にユーザの状態を判定し映像／音声出力を制御する制御部２６を備え、制御部２６は、ユーザが映像を見れる状態にないとき、表示部２への電源供給を停止するとともに、ユーザが映像を見れる状態になると電源供給を再開する制御を行うので、電車から降りて映像が見れない場合、モバイル型ＴＶ１をカバン等に収納した場合、モバイル型ＴＶ１が極端に振動したり傾いたりした場合などユーザが映像を見ることができないときは映像系への通電が自動的にオフされ、バッテリ消費電力が節減される。特に、映像表示のオフは自動で行われるため、ユーザによるスイッチ操作は不要であり、電車から降りる場合など咄嗟の場合のスイッチ操作による煩わしさをなくすことができる。
【００３８】
また、本実施の形態では、画面表示オフ後、一定時間が経過すると本体１ａ電源をオフする制御を行うので、より一層の省電力効果を得ることができるとともに、画像表示オフ状態による本体１ａ電源の消し忘れを未然に回避することができる。
【００３９】
なお、本実施の形態に係る携帯型電子機器は、上述したモバイル型ＴＶ１は勿論のこと、ポータブルビューアー等の映像記録再生装置、さらにはＴＶ受信機や映像記録再生装置以外の電子機器、例えば携帯電話機、ＰＤＡ（Personal Digital Assistants）等の携帯情報端末に適用してもよい。
【００４０】
また、本実施の形態では携帯型電子機器という名称を用いたが、これは説明の便宜上であり、携帯型表示装置、映像表示システム等であってもよいことは勿論である。
【００４１】
さらに、上記モバイル型ＴＶを構成する各回路部、例えばＳＤカード等の外部記憶装置等の種類、数及び接続方法などは前述した実施の形態に限られない。
【００４２】
以上説明したデジタル放送受信装置は、この携帯型電子機器を機能させるためのプログラムでも実現される。このプログラムはコンピュータで読み取り可能な記録媒体に格納されている。本発明では、この記録媒体として、メインメモリそのものがプログラムメディアであってもよいし、また外部記憶装置としてプログラム読み取り装置が設けられ、そこに記録媒体を挿入することで読み取り可能なプログラムメディアであってもよい。
【図面の簡単な説明】
【００４３】
【図１】本発明の実施の形態の携帯型電子機器の外観を示す図である。
【図２】本実施の形態の携帯型電子機器の機能を示すブロック図である。
【図３】本実施の形態の携帯型電子機器の表示制御動作を示すフローチャートである。
【符号の説明】
【００４４】
１  モバイル型ＴＶ
１ａ  モバイル型ＴＶ本体
２  表示部
３  電源スイッチ
４  音量ボタン
５  十字キー
６  選局ボタン
７  各種機能選択キー
８  ＬＥＤ
９  ＳＤカードスロット
１０  イヤホン端子
１１  外部入力端子
１２  ＤＣ電源入力端子
２１  チューナ
２２  分離部
２３  映像用デコーダ
２４  音声用デコーダ
２５  センサ（検出手段）
２６  制御部（判定手段，制御手段）
２７  映像出力部（ディスプレイ）
２８  音声出力部（スピーカ／イヤホン）
【図１】
2006211421.tif 000003
【図２】
2006211421.tif 000004
【図３】
2006211421.tif 000005